(57)【要約】【課題】  ダミーランプの機械的な強度や電気的な信頼性を高めるとともに、ダミーランプの製作効率やメンテナンス性を向上させる。【解決手段】  フラッシュランプ励起レーザ装置に設けられ、電磁力のバランスをとるダミーランプ１であって、非磁性で、かつ不透明な筒材１０にケーブル３０を挿通し、筒材１０とケーブル３０を一体的に固定して形成される。  また、保持部２０は、筒材１０に螺合される筒状の第一ホルダ２１と、第一ホルダ２１に螺合される筒状の絶縁部材２２と、絶縁部材２２に螺合される筒状の第二ホルダ２３とにより簡易に構成される。  また、絶縁部材２３には、締め込みによりケーブル３０を固定するすり割り部２３ｃが形成される。【選択図】  図２
2005236005.tif 000002
【特許請求の範囲】
【請求項１】
フラッシュランプ励起レーザ装置に設けられ、電磁力のバランスをとるダミーランプであって、
非磁性で、かつ不透明な筒材にケーブルを挿通し、前記筒材と前記ケーブルを一体的に固定して形成されることを特徴とするダミーランプ。
【請求項２】
前記筒材が、非磁性金属又はセラミックを用いて形成されることを特徴とする請求項１記載のダミーランプ。
【請求項３】
前記フラッシュランプ励起レーザ装置によって保持される保持部を介して、前記筒材と前記ケーブルが一体的に固定されることを特徴とする請求項１又は２記載のダミーランプ。
【請求項４】
前記保持部が、
前記筒材に螺合される筒状の第一ホルダと、
前記第一ホルダに螺合される筒状の絶縁部材と、
前記絶縁部材に螺合される筒状の第二ホルダとを備え、
前記第二ホルダが、前記フラッシュランプ励起レーザ装置によって保持される
ことを特徴とする請求項３記載のダミーランプ。
【請求項５】
前記絶縁部材が、前記第一ホルダに対するねじ込みに伴って締められ、前記ケーブルと一体的に固定されるすり割り部を備えることを特徴とする請求項４記載のダミーランプ。
【請求項６】
前記第一ホルダが、前記絶縁部材の遮光を行うことを特徴とする請求項４又は５記載のダミーランプ。
【発明の詳細な説明】
【技術分野】
【０００１】
本発明は、電磁力のバランス用としてフラッシュランプ励起レーザ装置に設けられるダミーランプに関する。
【背景技術】
【０００２】
レーザ媒質をフラッシュランプで照射することにより、レーザ光の発振や増幅を行うフラッシュランプ励起レーザ装置（以下、レーザ装置という。）が知られている。この種のレーザ装置では、フラッシュランプ間に強い電磁力が生じるため、電磁力のバランス用としてダミーランプを配置し、電磁力によるフラッシュランプの破損を防止している（例えば、特許文献１、２参照。）。
【０００３】
図３は、従来例に係るダミーランプの説明図である。
この図に示すように、従来のダミーランプ１００は、ダミーランプ本体１１０と、その両端部に設けられる保持部１２０とを有している。
【０００４】
ダミーランプ本体１１０は、筒状のコンダクタ１１１と、その両端部にねじ込まれる一対のロッド１１２と、各ロッド１１２を覆うガラスチューブ１１３とを備えて構成されている。各ロッド１１２の外端部には、接続部１１４が形成されており、ここにケーブル１３０が接続される。
【０００５】
保持部１２０は、レーザ装置によって保持される部分であり、ホルダ１２１、リングネジ１２２、第一絶縁部材１２３、第二絶縁部材１２４、コンタクトスプリング１２５、Ｏリング１２６などを備えて構成されている。
【０００６】
ダミーランプ本体１１０に対するケーブル１３０の接続は、ホルダ１２１などをずらし、接続部１１４を露出させた状態で行われる。ケーブル１３０を接続したら、接続部１１４の外周側を第二絶縁部材１２４やホルダ１２１で覆い、その後、ホルダ１２１の外端部にリングネジ１２２をねじ込むと、ダミーランプ１００の組み立てが終わる。
【特許文献１】特開昭６３−０６２３８７号公報
【特許文献２】特開２０００−０９１６８０号公報
【発明の開示】
【発明が解決しようとする課題】
【０００７】
しかしながら、上記のように構成された従来のダミーランプ１００では、ケーブル１３０との接続部分が、電磁力による振動で破損したり、接触抵抗による発熱で焼損したり、更には、絶縁破壊を引き起す可能性がある。
【０００８】
ケーブル１３０との接続部分に破損、発熱又は焼損が生じた場合には、ダミーランプ１００による電磁力のバランス作用が損なわれ、フラッシュランプが破損する可能性があるだけでなく、接続部分の破損、発熱又は焼損に伴う発塵により、レーザ装置のクリーン度が低下するという問題がある。
【０００９】
また、従来のダミーランプ１００は、上述のように、部品点数が多く、構造が複雑であるため、製作効率が低下してコストアップをまねくだけでなく、修理などのメンテナンスにも手間がかかるという問題がある。
【００１０】
本発明は、上記の事情にかんがみなされたものであり、機械的な強度や電気的な信頼性が高く、しかも、製作効率及びメンテナンス性を向上させることができるダミーランプの提供を目的とする。
【課題を解決するための手段】
【００１１】
上記目的を達成するため本発明のダミーランプは、フラッシュランプ励起レーザ装置に設けられ、電磁力のバランスをとるダミーランプであって、非磁性で、かつ不透明な筒材にケーブルを挿通し、前記筒材と前記ケーブルを一体的に固定して形成される構成としてある。
【００１２】
このようにすれば、ケーブルとの電気的な接続部分がないケーブル一体型のダミーランプを構成することができる。これにより、ダミーランプの機械的な強度や電気的な信頼性を高めることができるだけでなく、部品点数の削減や構造の簡略化を図り、ダミーランプの製作効率及びメンテナンス性を向上させることができる。
【００１３】
しかも、非磁性で、かつ不透明な筒材でケーブルを覆うことにより、電磁力によるケーブルの振動を抑制できるだけでなく、フラッシュランプの照射によるケーブル被覆の発熱や焼損、更には、発熱や焼損に伴う発塵を防止することができる。
【００１４】
また、本発明のダミーランプは、前記筒材が、非磁性金属又はセラミックを用いて形成される構成としてある。
このようにすれば、ダミーランプの機械的な強度を更に高めることができるだけでなく、筒材を安価に構成してダミーランプのコストダウンが可能になる。
【００１５】
また、本発明のダミーランプは、前記フラッシュランプ励起レーザ装置によって保持される保持部を介して、前記筒材と前記ケーブルが一体的に固定される構成としてある。
このようにすれば、ダミーランプの保持部を、筒材とケーブルの固定部に兼用し、部品点数を更に削減することができる。
【００１６】
また、本発明のダミーランプは、前記保持部が、前記筒材に螺合される筒状の第一ホルダと、前記第一ホルダに螺合される筒状の絶縁部材と、前記絶縁部材に螺合される筒状の第二ホルダとを備え、前記第二ホルダが、前記フラッシュランプ励起レーザ装置によって保持される構成としてある。
このようにすれば、筒材が絶縁されるので、ケーブル電流により筒材に生じるリバースカレントを抑制することができる。これにより、リバースカレントによる電磁力の乱れを防止し、電磁力のバランスを良好に保つことができる。
【００１７】
また、本発明のダミーランプは、前記絶縁部材が、前記第一ホルダに対するねじ込みに伴って締められ、前記ケーブルと一体的に固定されるすり割り部を備える構成としてある。
このようにすれば、絶縁部材をケーブル固定部材に兼用し、部品点数を更に削減することができる。
【００１８】
また、本発明のダミーランプは、前記第一ホルダが、前記絶縁部材の遮光を行う構成としてある。
このようにすれば、フラッシュランプの照射による絶縁部材の発熱や焼損、さらには、発熱や焼損に伴う発塵を防止することができる。
【発明の効果】
【００１９】
以上のように、本発明によれば、ケーブルとの電気的な接続部分がないケーブル一体型のダミーランプを構成することができるため、ダミーランプの機械的な強度や電気的な信頼性を高めることができる。
また、従来のダミーランプに比べ、部品点数が少なく、構造が簡易であるため、製作効率を高めてコストダウンが可能になるだけでなく、メンテナンス性も向上させることができる。
また、非磁性で、かつ不透明な筒材でケーブルを覆うことにより、電磁力によるケーブルの振動を抑制できるだけでなく、フラッシュランプの照射によるケーブル被覆の発熱や焼損、さらには、発熱や焼損に伴う発塵を防止することができる。
【発明を実施するための最良の形態】
【００２０】
以下、本発明の実施形態について、図面を参照して説明する。
図１は、本発明の実施形態に係るダミーランプの外観図、図２は、本発明の実施形態に係るダミーランプの要部断面図である。
【００２１】
これらの図に示すように、本発明の実施形態に係るダミーランプ１は、筒材１０と、その両端部に設けられる保持部２０と、筒材１０に挿通されるケーブル３０とを有している。ケーブル３０としては、周囲を絶縁材で被覆したものが用いられる。
【００２２】
筒材１０は、非磁性で、かつ不透明なものであり、その中空部に挿通されるケーブル３０と一体的に固定されることにより、ケーブル一体型のダミーランプ１を構成する。つまり、本発明のダミーランプ１は、ケーブル３０との電気的な接続部分がない構造であり、ケーブル３０自体をダミーランプとして機能させるように構成される。
【００２３】
ダミーランプ１をこのように構成すると、ケーブル３０との電気的な接続部分に起因する従来の問題が解決されるため、ダミーランプ１の機械的及び電気的な信頼性を高めることができる。
しかも、ケーブル一体型のダミーランプ１によれば、従来のダミーランプに比べ、部品点数の削減や構造の簡略化が可能になるので、製作効率を高めてコストダウンが図れるだけでなく、メンテナンス性も向上させることができる。
【００２４】
また、非磁性で、かつ不透明な筒材１０でケーブル３０を覆うので、電磁力によるケーブル３０の振動を抑制できるだけでなく、フラッシュランプの照射によるケーブル被覆の発熱や焼損を防止することができる。これにより、発熱や焼損に伴う発塵も防止されるため、発塵によるレーザ装置の汚染を回避し、レーザ装置のクリーン度を高めることができる。
【００２５】
筒材１０の素材としては、非磁性金属やセラミックが好ましい。例えば、本実施形態では、筒材１０として、無電解ニッケルめっきを施したアルミパイプが用いられる。
このような筒材１０を用いると、ダミーランプ１の機械的な強度を更に高めることができるだけでなく、筒材１０を安価に構成してダミーランプ１のコストダウンが可能になる。
【００２６】
保持部２０は、レーザ装置によって保持される部分であり、筒材１０の両端部に螺合される筒状の第一ホルダ２１と、第一ホルダ２１に螺合される筒状の絶縁部材２２と、絶縁部材２２に螺合される筒状の第二ホルダ２３とで構成し、第二ホルダ２３をレーザ装置で保持することが好ましい。
このように構成された保持部２０によれば、筒材１０が絶縁されるので、ケーブル電流により筒材１０に生じるリバースカレントが抑制される。これにより、リバースカレントによる電磁力の乱れを防止し、電磁力のバランスを良好に保つことができる。
【００２７】
第一ホルダ２１は、アルミ製の筒状部材であり、筒材１０との螺合溝２１ａが内端部の内周面に形成され、絶縁部材２２との螺合溝２１ｂが中間部の内周面に形成されている。この螺合溝２１ｂに絶縁部材２２をねじ込むと、絶縁部材２２が第一ホルダ２１で覆われるようにしてある。これにより、絶縁部材２２が遮光されるので、フラッシュランプの照射による絶縁部材２２の発熱や焼損が防止され、更には、発熱や焼損に伴う発塵も回避することが可能になる。
【００２８】
絶縁部材２２は、絶縁性の樹脂で形成されており、第一ホルダ２１との螺合溝２２ａが中間部の外周面に形成され、第二ホルダ２３との螺合溝２２ｂが外端部の内周面に形成されている。また、絶縁部材２２の内端部には、外周にテーパーを有するすり割り部２２ｃが形成されている。すり割り部２２ｃには、周方向に所定の間隔をあけて複数のスリットが形成されており、径方向の変形が容易となっている。
【００２９】
このように構成された絶縁部材２２を第一ホルダ２１にねじ込むと、すり割り部２２ｃの外周面が、第一ホルダ２１の内周に形成されるテーパ２１ｃに当り、その傾斜によって徐々に締め込まれる。これにより、すり割り部２２ｃがケーブル３０を締め付け、ケーブル３０が一体的に固定される。
このようにすると、絶縁部材２２を利用してケーブル３０の固定が可能になるので、専用の固定部材を用いる場合に比べて、部品点数を削減できるだけでなく、ダミーランプ１の構造を更に簡略化することが可能になる。
【００３０】
第二ホルダ２３は、アルミ製の筒状部材であり、絶縁部材２２との螺合溝２３ａが内端部の外周面に形成されている。
なお、筒材１０、第一ホルダ２１、絶縁部材２２及び第二ホルダ２３の外周面には、面取り状の工具係合部１０ａ、２１ｄ、２２ｄ、２３ｂが形成されている。
【００３１】
以上のように構成された本実施形態のダミーランプ１によれば、非磁性で、かつ不透明な筒材１０にケーブル３０を挿通し、筒材１０とケーブル３０を一体的に固定して構成されるので、ケーブル３０との電気的な接続部分がないケーブル一体型のダミーランプ１が得られる。これにより、ダミーランプ１の機械的な強度や電気的な信頼性を高めることができるだけでなく、部品点数の削減や構造の簡略化を図り、ダミーランプ１の製作効率及びメンテナンス性を向上させることができる。
【００３２】
しかも、非磁性で、かつ不透明な筒材１０でケーブル３０を覆うことにより、電磁力によるケーブル３０の振動を抑制できるだけでなく、フラッシュランプの照射によるケーブル被覆の発熱や焼損、更には、発熱や焼損に伴う発塵を防止することができる。
【００３３】
また、非磁性金属又はセラミックを用いて筒材１０を形成しているので、ダミーランプ１の機械的な強度を更に高めることができるだけでなく、筒材１０を安価に構成してダミーランプ１のコストダウンが可能になる。
【００３４】
また、レーザ装置によって保持される保持部２０を介して、筒材１０とケーブル３０を一体的に固定しているので、ダミーランプ１の保持部２０を、筒材１０とケーブル３０の固定部に兼用し、部品点数を更に削減することができる。
【００３５】
また、保持部２０は、筒材１０に螺合される筒状の第一ホルダ２１と、第一ホルダ２１に螺合される筒状の絶縁部材２２と、絶縁部材２２に螺合される筒状の第二ホルダ２３とを備えて構成され、第二ホルダ２３をレーザ装置で保持するようにしたので、筒材１０を確実に絶縁し、ケーブル電流により筒材１０に生じるリバースカレントを抑制することができる。これにより、リバースカレントによる電磁力の乱れを防止し、電磁力のバランスを良好に保つことができる。
【００３６】
また、絶縁部材２２は、第一ホルダ２１に対するねじ込みに伴って締められ、ケーブル３０と一体的に固定されるすり割り部２２ｃを備えるので、絶縁部材２２をケーブル固定部材に兼用し、部品点数を更に削減することができる。
【００３７】
また、第一ホルダ２１は、絶縁部材２２を遮光するように形成されているので、フラッシュランプの照射による絶縁部材２２の発熱や焼損、更には、発熱や焼損に伴う発塵を防止することができる。
【産業上の利用可能性】
【００３８】
本発明は、レーザ媒質をフラッシュランプで照射することにより、レーザ光の発振や増幅を行うフラッシュランプ励起レーザ装置に設けられ、電磁力のバランスをとるダミーランプに適用される。
【図面の簡単な説明】
【００３９】
【図１】本発明の実施形態に係るダミーランプの外観図である。
【図２】本発明の実施形態に係るダミーランプの要部断面図である。
【図３】従来例に係るダミーランプの説明図である。
【符号の説明】
【００４０】
１  ダミーランプ
１０  筒材
２０  保持部
２１  第一ホルダ
２２  絶縁部材
２２ｃ  すり割り部
２３  絶縁部材
２３  第二ホルダ
３０  ケーブル
【図１】
2005236005.tif 000003
【図２】
2005236005.tif 000004
【図３】
2005236005.tif 000005